(57)【特許請求の範囲】
【請求項１】
スピーカ（ＳＰ）が載置される天板（１０）と、
天板（１０）に対向して配置される底板（２０）と、
天板（１０）と底板（２０）とを間隔を保たせて連結する複数の支柱（３０）と、
底板（２０）に設けられる脚部（５０）と、
スピーカスタンド設置面（９０）と底板（２０）との間に介在する振動伝達手段（４０）とを備え、
前記振動伝達手段（４０）は、脚部（５０）の高さより高くして、スピーカスタンド設置面（９０）と底板（２０）との間隔を押し広げるように配設してあり、かつ、スピーカスタンド設置面（９０）と底板（２０）との間において水平方向に移動自在であることを特徴とするスピーカスタンド。
【請求項２】
前記振動伝達手段（４０）は、高さ調整手段を備えていることを特徴とする請求項１記載のスピーカスタンド。
【請求項３】
前記振動伝達手段（４０）および脚部（５０）は、スパイク（４１，５１）と、スパイク（４１，５１）が載置されるスパイク受け（４２，５２）とにより構成され、スパイク（４１，５１）は錐状部を備え、スパイク受け（４２，５２）はスパイク（４１，５１）の錐状部の頂部を受ける凹部（４５，５５）を備えており、前記振動伝達手段（４０）は、錘状部の底面が底板（２０）に接することを特徴とする請求項１または２記載のスピーカスタンド。
【請求項４】
前記天板（１０）および底板（２０）は、それぞれ厚さ方向に貫通する貫通孔（７０、８０）を１以上備えていることを特徴とする請求項１、２または３記載のスピーカスタンド。
【請求項５】
前記底板（２０）は、その周縁部に切欠（２１）を備えていることを特徴とする請求項１、２、３または４記載のスピーカスタンド。
【請求項６】
前記支柱（３０）間に補強部材（６０）を介在させることを特徴とする請求項１、２、３、４または５記載のスピーカスタンド。
【請求項７】
前記支柱（３０）は、天板（１０）および底板（２０）の前方および後方にそれぞれ一対備えられ、前記補強部材（６０）は、後方に向かって上方に傾斜して各支柱（３０）間に介在するＸ字状の第一補強部材（６１）と、第一補強部材（６１）のＸ字の交差部と前記後方の一対の支柱（３０）との間において、底板（２０）と平行に略三角形状をなして介在する第二補強部材（６２）とからなることを特徴とする請求項６記載のスピーカスタンド。
【請求項８】
前記天板（１０）、底板（２０）および支柱（３０）は鉄からなり、支柱（３０）は、形状が略円柱形であって、その直径が４ｍｍ〜８ｍｍであり、天板（１０）は、厚さが１ｍｍ〜５ｍｍであり、底板（２０）は、厚さが３ｍｍ〜７ｍｍであることを特徴とする請求項１、２、３、４、５、６または７記載のスピーカスタンド。
【発明の詳細な説明】
【技術分野】
【０００１】
本発明はスピーカボックスを載置するスピーカスタンドに関するものである。
【背景技術】
【０００２】
スピーカより出力される再生音は、床や壁における音響的な反射、拡散、吸収の影響を受けるので、聴者は音源とは異なる変調感や欠落感のある音を聴くこととなる。そのため、スピーカの設置にはスピーカスタンドが用いられ、スピーカの音源を聴者の耳の高さ付近に設定し、かつ、壁から離すことにより、再生音の音質の低下を抑えている。
【０００３】
しかしながら、従来のスピーカスタンドでは、スピーカの駆動に伴ってエンクロージャーが振動すると、その振動がスピーカスタンドやスピーカスタンド設置面で反射し、その反射した振動がエンクロージャーに作用することによって、また、エンクロージャーの振動の周波数とスピーカスタンドの固有周波数が一致する場合には、スピーカスタンドに共振が生じ、エンクロージャーが大きく振動することによって、スピーカより出力される再生音に変調音波や雑音等が混入し、再生音の音質が悪化してしまうという問題があった。
また、スピーカより出力される再生音がスピーカスタンドの表面で回折および反射し、その回折・反射した音波が再生音と干渉して再生音の音質が悪化するという問題もあった。
【０００４】
なお、特許文献１には、共振を防止するため、スピーカが載置される天板を支持するパイプ内に制振部材を具備し、パイプ自体もパイプの振動を制動する制振鋼板で形成したスピーカスタンドについて記載されている。このような構成によると、スピーカの駆動に伴うエンクロージャーの振動のうち、特定の周波数成分においては、共振を抑え、かつ、振動を吸収することができる。しかしながら、幅広い周波数帯において共振を抑え、かつ、振動を吸収することは困難である。
【先行技術文献】
【特許文献】
【０００５】
【特許文献１】実開平３−３４３８７号公報
【発明の概要】
【発明が解決しようとする課題】
【０００６】
そこで、本発明は上記課題を解決するためになされたものであり、スピーカから出力される再生音の音質を向上させることができるスピーカスタンドを提供すること目的とする。
【課題を解決するための手段】
【０００７】
上記課題を解決するための請求項１記載の発明は、スピーカが載置される天板と、天板に対向して配置される底板と、天板と底板とを間隔を保たせて連結する複数の支柱と、底板に設けられる脚部と、スピーカスタンド設置面と底板との間に介在する振動伝達手段と、を備え、前記振動伝達手段は、脚部の高さより高くして、スピーカスタンド設置面と底板との間隔を押し広げるように配設してあり、かつ、スピーカスタンド設置面と底板との間において水平方向に移動自在であることを特徴とする。
【０００８】
この構成によると、スピーカを聴者にとって好適な音質が得られる高さに保持すると共に、振動伝達手段の高さを脚部の高さより高くして、振動伝達手段により底板を押圧することにより、スピーカの駆動時にエンクロージャーからスピーカスタンドに伝播する振動を振動伝達手段に集中させ、振動伝達手段を介してスピーカスタンド設置面に逃がすことができる。
また、天板及び底板を板状とし、天板と底板とを支柱で連結してスピーカスタンドの側周を開放することにより、スピーカから出力される再生音のスピーカスタンドにおける回折・反射が極力抑えられる。
さらに、底板を脚部で支持することにより、スピーカスタンド設置面における振動の再反射やスピーカスタンド設置面からスピーカスタンドへの余分な振動の伝播を抑えることができる。
また、エンクロージャーからスピーカスタンドに伝わる振動を、スピーカスタンド設置面に最も効率よく逃がすように、振動伝達手段の平面的な位置を調整することができる。
【０００９】
請求項２記載の発明は、前記振動伝達手段が、高さ調整手段を備えていることを特徴とする。
【００１０】
これによると、エンクロージャーからスピーカスタンドに伝わる振動を、スピーカスタンド設置面に最も効率よく逃がすように、振動伝達手段の高さを調整することができる。
【００１１】
請求項３記載の発明は、振動伝達手段および脚部が、スパイクと、スパイクが載置されるスパイク受けとにより構成され、スパイクは錐状部を備え、スパイク受けはスパイクの錐状部の頂部を受ける凹部を備えており、前記振動伝達手段は、錘状部の底面が底板に接することを特徴とする。
【００１２】
これによると、振動伝達手段が底板を面的に押圧するので、エンクロージャーからスピーカスタンドに伝わる振動がより振動伝達手段に集中しやすくなる。そのため、エンクロージャーからスピーカスタンドに伝わる振動をより効率よくスピーカスタンド設置面に逃がすことができる。
また、スパイクが錘状部を備えているため、スピーカスタンド設置面における振動の再反射やスピーカスタンド設置面からスピーカスタンドへの余分な振動の伝播をより確実に抑えることができる。
【００１３】
請求項４記載の発明は、天板および底板が、それぞれ厚さ方向に貫通する貫通孔を１以上備えていることを特徴とする。
【００１４】
これによると、エンクロージャーの振動に伴って発生するスピーカスタンドの共振を抑制することができる。また、各板が大きさの異なる貫通孔を複数備えている場合には、様々なモードの共振を抑制することができる。
【００１５】
請求項５記載の発明は、底板が、その周縁部に切欠を備えていることを特徴とする。
【００１６】
これによると、エンクロージャーの振動に伴って発生するスピーカスタンドの共振をより確実に抑制することができる。
【００１７】
請求項６記載の発明は、支柱間に補強部材を介在させることを特徴とする。
【００１８】
これによると、エンクロージャーの振動に伴うスピーカスタンドの過剰な振動を抑えることができる。
【００１９】
請求項７記載の発明は、支柱が、天板および底板の前方および後方にそれぞれ一対備えられ、補強部材は、後方に向かって上方に傾斜して各支柱間に介在するＸ字状の第一補強部材と、第一補強部材のＸ字の交差部と前記後方の一対の支柱との間において、底板と平行に略三角形状をなして介在する第二補強部材とからなることを特徴とする。
【００２０】
これによると、エンクロージャーの振動に伴うスピーカスタンドの過剰な振動を抑えることができる。特に、エンクロージャーはスピーカの駆動により主に前後方向に振動するので、このように補強部材を設けると、スピーカスタンドの前後方向の過剰な振動を確実に抑えることができる。
【００２１】
請求項８記載の発明は、天板、底板および支柱は鉄からなり、支柱は、形状が略円柱形であって、その直径が４ｍｍ〜８ｍｍであり、天板は、厚さが１ｍｍ〜５ｍｍであり、底板は、厚さが３ｍｍ〜７ｍｍであることを特徴とする。
【００２２】
これによると、小型スピーカに適したスピーカスタンドを提供することができる。また、支柱は、エンクロージャーの振動を撓りながら受け止める。
【発明の効果】
【００２３】
請求項１記載の発明によると、スピーカを聴者にとって好適な音質が得られる高さに保持すると共に、エンクロージャーからスピーカスタンドに伝わる幅広い周波数帯からなる振動を全てスピーカスタンド設置面に逃がすと共に、スピーカスタンド設置面における振動の再反射やスピーカスタンド設置面からスピーカスタンドへの余分な振動の伝播を抑えることにより、エンクロージャーに余分な振動が作用するのを防止し、また、スピーカから出力される再生音のスピーカスタンドにおける回折・反射を抑制することにより、再生音と回折波・反射波との干渉を低減させることができる。そのため、スピーカより出力される再生音は、変調感や、欠落感および雑音感がなくクリアーな音質となり、従来のスピーカスタンドを使用する場合に比べ音質が著しく向上する。
また、振動伝達手段の平面的な位置を調整することにより、スピーカから出力される再生音の音質をスピーカスタンドの設置状況に応じて最適化することができる。
また、本発明は、フローリング、絨毯など、スピーカスタンドの設置面の材質によらず上記効果を奏するので、様々な設置面において使用することができる。
【００２４】
請求項２記載の発明によると、振動伝達手段の高さを調整することにより、スピーカから出力される再生音の音質をスピーカスタンドの設置状況に応じて最適化することができる。
【００２５】
請求項３記載の発明によると、エンクロージャーからスピーカスタンドに伝わる振動を、振動伝達手段により効率よくスピーカスタンド設置面に逃がすことができ、また、スピーカスタンド設置面における振動の再反射やスピーカスタンド設置面からスピーカスタンドへの余分な振動の伝播をより確実に抑えることができるので、スピーカより出力される再生音の音質がより向上する。
【００２６】
請求項４記載の発明によると、天板および底板が、厚さ方向に貫通する貫通孔を１以上備えているので、エンクロージャーの振動に伴って発生するスピーカスタンドの共振が抑制される。その結果、共振に伴うエンクロージャーの振動も抑制されるので、スピーカより出力される再生音の音質がより向上する。
【００２７】
請求項５記載の発明によると、底板の周縁部に切欠を備えることにより、エンクロージャーの振動に伴って発生するスピーカスタンドの共振がより抑制されることとなり、スピーカより出力される再生音の音質がより向上する。
【００２８】
請求項６および請求項７記載の発明によると、支柱間に補強部材を介在させることによって、エンクロージャーの振動に伴って生じるスピーカスタンドの過剰な振動が抑えられるので、再生音の音質がより一層向上する。
【００２９】
請求項８記載の発明によると、上記効果を備える小型スピーカに適したスピーカスタンドを提供することができる。
また、支柱がエンクロージャーの振動により適度に撓り、振動をしなやかに受け止めるので、剛性が高くエンクロージャーの振動に対してまったく変形しないような支柱を用いる場合に比べ、再生音の音質が向上する。
【図面の簡単な説明】
【００３０】
【図１】本発明に係る実施形態のスピーカスタンドを示す斜視図。
【図２】天板および底板を示す平面図。
【図３】本発明に係る実施形態のスピーカスタンドを示す側面図。
【図４】振動伝達手段を示す斜視図。
【図５】脚部を示す斜視図。
【図６】スピーカスタンドの使用状況を示す斜視図。
【図７】スピーカスタンドの底板付近を拡大した正面図。
【発明を実施するための形態】
【００３１】
以下、本発明の実施形態について図面を参照しながら説明する。
スピーカスタンドＳＳは、図１に示すように、スピーカＳＰが載置される天板１０と、天板１０に対向して配置される底板２０と、天板１０と底板２０とを間隔を保たせて連結する４本の支柱３０と、スピーカスタンドＳＳを支持するために底板２０の底面に設けられる４つの脚部５０と、スピーカスタンド設置面９０と底板２０との間に介在する振動伝達手段４０とを備えている。また、支柱３０間には支柱３０を補強するための補強部材６０が設けられている。
【００３２】
天板１０は、鉄製の板を矩形状に形成したものであり、天板１０の幅方向の中央には、板厚方向に貫通する略円形の第一貫通孔７１、第二貫通孔７２および第三貫通孔７３が設けられている。貫通孔７０の径は、第一貫通孔７１、第二貫通孔７２、第三貫通孔７３の順に大きくなっている。
【００３３】
底板２０は、鉄製の板を矩形状に形成したものであり、天板１０より一回り大きく形成されている。底板２０の幅方向の中央には、天板１０と同様に第一貫通孔８１、第二貫通孔８２および第三貫通孔８３が設けられ、さらに、側縁部には略半円状の切欠２１が形成されている。また、底板２０の四隅には、後述する脚部５０を取り付けるための雌ネジ２２が設けられている。
ここで、底板２０の第一貫通孔８１、第二貫通孔８２および第三貫通孔８３の径は、それぞれ天板１０の第一貫通孔７１、第二貫通孔７２および第三貫通孔７３と同一としている。
【００３４】
なお、天板１０および底板２０の各貫通孔７１，７２，７３，８１，８２，８３の径の大きさを、図２に示すように、第一貫通孔の径と第二貫通孔の径との比（＝Ｒａ１：Ｒａ２、Ｒｂ１：Ｒｂ２）および第二貫通孔の径と第三貫通孔の径との比（＝Ｒａ２：Ｒａ３、Ｒｂ２：Ｒｂ３）がそれぞれ黄金比（１：１．６２８）となるように設定すると、スピーカＳＰから出力される再生音の音質がより向上する。また、貫通孔の間隔も、図２に示すように、第一貫通孔と第二貫通孔の間隔と、第二貫通孔と第三貫通孔の間隔との比（＝Ｌａ１：Ｌａ２、Ｌｂ１：Ｌｂ２）がそれぞれ黄金比（＝１：１．６２８）となるように設定すると、再生音の音質がより一層向上する。
また、上記天板１０および底板２０の貫通孔７０、８０および切欠２１を、レーザー加工で形成すると、他の加工法で形成した場合に比べ、再生音の音質が向上する。
【００３５】
上記天板１０および底板２０によると、貫通孔７０，８０および切欠２１を設けることにより、エンクロージャーＥの振動に伴うスピーカスタンドＳＳの様々なモードの共振を抑制することができる。また、天板１０および底板２０を板状とすることにより、スピーカＳＰから出力される再生音の天板１０および底板２０における回折・反射を極力抑えることができる。
【００３６】
天板１０と底板２０は、それぞれの貫通孔７０，８０の位置が平面的に重なるように対向し、間隔を保った状態で、４本の鉄製の円柱状の支柱３０により連結されている。
ここで、支柱３０の径は、支柱３０がスピーカＳＰからり出力される再生音の回折・反射にほとんど寄与しないようにするため、天板１０および底板２０の板厚と同程度のオーダーとしてある。
なお、支柱３０は、音質の観点からは、剛性が高く、エンクロージャーＥの振動に対して全く撓らないものより、前記振動に対してある程度撓るもののほうが好ましいので、本実施形態では、エンクロージャーＥの振動に対してある程度撓る支柱３０を用いている。
【００３７】
各支柱３０は、天板１０の四隅に位置する形で天板１０と底板２０とを連結している。天板１０と底板２０との間隔は、スピーカＳＰの音源が聴者の耳の高さになるように設定される。なお、天板１０および底板２０と支柱３０との連結を溶接で行うと、再生音の音質が向上する。
【００３８】
上記支柱３０によると、エンクロージャーＥの振動を、支柱３０を撓ませながら受け止め、また受けた振動を底板に伝達する媒体の役割を果たす。また、支柱３０における再生音の回折・反射を抑えることができる。
【００３９】
補強部材６０については、第一補強部材６１と第二補強部材６２が支柱３０間に設けられている。
図１および図３に示すように、第一補強部材６１は、Ｘ字状の部材であって、後方に向かって上方に傾斜した状態で各支柱３０間に介在している。また、第二補強部材６２は、第一補強部材６１のＸ字の交差部と後方の２本の支柱３０との間において、底板２０と平行に略三角形状をなすように介在している。
第一補強部材６１および第二補強部材６２は、鉄を円柱状に形成したものであり、その径は支柱３０より小さくなっている。なお、音質の観点から、第一補強部材６１および第二補強部材６２の支柱３０間への介在は、溶接により連結するのが好ましい。
【００４０】
なお、第一補強部材６１および第二補強部材６２を、図３に示すように、前後方向成分と鉛直方向成分の比（＝Ｌｃ１：Ｄ１、Ｌｃ２：Ｄ２）がそれぞれ黄金比（＝１：１．６２８）となるように設けると、再生音の音質がより一層向上する。
【００４１】
上記補強部材６０によると、エンクロージャーＥの振動に伴うスピーカスタンドＳＳの過剰な振動を抑えることができる。特に、エンクロージャーＥはスピーカＳＰの駆動により主に前後方向に振動するので、このように補強部材６０を設けると、スピーカスタンドＳＳの前後方向の過剰な振動を確実に抑えることができる。また、補強部材６０における再生音の回折・反射も抑えられる。
【００４２】
振動伝達手段４０は、スピーカスタンド設置面９０と底板２０との間をスライド自在にスライドできる当該スピーカスタンドＳＳの外付け手段であって、図４に示すように、真鍮製のスパイク４１と、真鍮製のスパイク受け４２とにより構成されている。
スパイク４１は、円錐形状であって、円錐頂部４３と円錐台部４４とにより構成され、円錐頂部４３と円錐台部４４は、これらに設けられた雄ネジ４６と雌ネジ４７により締結される。スパイク４１は、円錐頂部４３と円錐台部４４の雄ネジ４６，雌ネジ４７を回すことによって、その高さを調整することができる。
一方、スパイク受け４２は、略円盤状であって、その上面の中央部にはスパイク４１の頂部を受ける凹部４５が設けられている。
振動伝達手段４０は、スピーカスタンド設置面９０に設置されたスパイク受け４２の凹部４５にスパイク４１の頂部を載置し、スパイク４１を立設した状態で、スパイク４１の円錐台部４４の底面を底板２０の底面に接するようにしてスピーカスタンド設置面９０と底板２０との間に介在させて使用される。振動伝達手段４０は、スピーカスタンド設置面９０と底板２０との間において自在にスライド可能であり、その平面的な位置を調整することができる。
【００４３】
上記振動伝達手段４０によると、後述するように振動伝達手段４０を脚部５０より高くした状態でスピーカスタンド設置面９０と底板２０との間に介在させると、底板２０が振動伝達手段４０により押圧され、エンクロージャーＥからスピーカスタンドＳＳに伝播する振動が振動伝達手段４０に集中することとなり、振動伝達手段４０を介してその振動をスピーカスタンド設置面９０に効率よく逃がすことができる。しかも、スピーカスタンド設置面９０における振動の再反射やスピーカスタンド設置面９０からスピーカスタンドＳＳへの余分な振動の伝播も抑えることができる。
また、スピーカスタンドＳＳの振動を、最も効率よくスピーカスタンド設置面９０に逃がすように、振動伝達手段４０の平面的な位置および高さを調整することができる。
【００４４】
脚部５０は、図５に示すように、真鍮製のスパイク５１と、同じく真鍮製のスパイク受け５２と、により構成されている。
スパイク５１は、略円錐体５３の底面の中央部に、底板２０の雌ネジ２２に締結可能な雄ネジ５４を備えたものである。雄ネジ５４には、雄ネジ５４に螺合可能であって底板２０を支持するための支持板５６が設けられている。
一方、スパイク受け５２は、振動伝達手段４０のスパイク受け４２と同様の構成となっている。
【００４５】
底板２０には４組の脚部５０が取り付けられる。取り付けは、スパイク５１の雄ネジ５４を底板２０の雌ネジ２２に締結し、支持板５６を回転させて底板２０に当接させる。また、スパイク５１の頂部は、スピーカスタンド設置面９０に設置したスパイク受け５２の凹部５５に載置される。なお、雄ネジ５４と一体化した略円錐体５３を回転することにより底板２０の高さを調節することが可能となっている。
【００４６】
このように構成した脚部５０によると、スピーカスタンドＳＳを支持すると共に、エンクロージャーＥからスピーカスタンドＳＳに伝わる振動を、補助的にスピーカスタンド設置面９０に逃がす役割を果たす。さらに、スピーカスタンド設置面９０における振動の再反射やスピーカスタンド設置面９０からスピーカスタンドＳＳへの余分な振動の伝播が抑えられる。
【００４７】
以上に示したスピーカスタンドＳＳは、図６に示すように天板１０にスピーカＳＰを載置して使用する。この際、図７に示すように振動伝達手段４０の高さを脚部５０の高さより高くなるように円錐頂部４３と円錐台部４４のネジ４６，４７を回して振動伝達手段４０の高さを調整し（Ｄ３＞Ｄ４）、振動伝達手段４０をスピーカスタンド設置面９０と底板２０との間に挿入して介在させる。そして、振動伝達手段４０の平面位置および高さを調整しながら、再生音の音質が最適となるようにその平面位置と高さを決定する。
【００４８】
なお、スピーカＳＰを駆動しない場合には、振動伝達手段４０を取り外しておくと、スピーカスタンドＳＳを安定的に載置させておくことができる。
【００４９】
以上に説明したスピーカスタンドＳＳによると、スピーカＳＰを聴者にとって好適な音質が得られる高さに保持することができる。また、エンクロージャーＥからスピーカスタンドＳＳに伝わる幅広い周波数帯からなる振動を振動伝達手段４０に集中させ、その振動の全てを振動伝達手段４０を介してスピーカスタンド設置面９０に逃がすと共に、スピーカスタンド設置面９０における振動の再反射やスピーカスタンド設置面９０からスピーカスタンドＳＳへの余分な振動の伝播が抑えられるので、エンクロージャーＥに余分な振動が作用しない。また、スピーカＳＰから出力される再生音のスピーカスタンドＳＳにおける回折・反射が抑えられるので、再生音と回折波・反射波との干渉が抑制される。そのため、スピーカＳＰより出力される再生音は、変調感、欠落感および雑音感がなくクリアーな音質となり、従来のスピーカスタンドを使用する場合に比べ、三次元立体再現性、Ｓ／Ｎ、分解能、階調表現性、輪郭が著しく向上する。
上記スピーカスタンドＳＳは、フローリング、絨毯など様々な設置面においても上記効果を得られるので、様々な設置面において使用することができる。
【実施例】
【００５０】
本発明をミニスピーカ用のスピーカスタンドＳＳとして使用する場合、上記実施の形態において、支柱３０の直径を４ｍｍ〜８ｍｍ、天板１０の厚さを１ｍｍ〜５ｍｍ、底板２０の厚さを３ｍｍ〜７ｍｍとする。
【００５１】
以上に示した実施の形態および実施例は本発明の例示であり、本発明は上記の実施の形態および実施例に限定されるものではない。
【符号の説明】
【００５２】
１０    天板
２０    底板
２１    切欠
３０    支柱
４０    振動伝達手段
４１、５１    スパイク
４２、５２    スパイク受け
４５、５５    凹部
５０    脚部
６０    補強部材
６１    第一補強部材
６２    第二補強部材
７０    貫通孔（天板）
８０    貫通孔（底板）
９０    スピーカスタンド設置面
Ｅ      エンクロージャー
ＳＰ    スピーカ
ＳＳ    スピーカスタンド
【図１】
0005275303.tif 000002
【図２】
0005275303.tif 000003
【図３】
0005275303.tif 000004
【図４】
0005275303.tif 000005
【図５】
0005275303.tif 000006
【図６】
0005275303.tif 000007
【図７】
0005275303.tif 000008